(57)【要約】  【課題】  隣り合うコンクリートパネルをより強固に連結することができ、上下左右のコンクリートパネルが強固に一体となった壁面を容易に構築可能なコンクリートパネルの連結金具を提供する。  【解決手段】  連結プレート９は、金属板の上辺部分と下辺部分をそれぞれ折り返して補強部１２を形成すると共に、両補強部の間に段差空部１３を形成し、中央部には貫通孔を放射状に開設し、貫通孔の外側に止着孔を開設してなり、溶接プレート１０は、連結プレートの貫通孔内に挿通する挿通部１０ａと、この挿通部の一端に形成されて貫通孔の開口周辺に係止する抜け止め部１０ｂとを有し、溶接プレートの挿通部を連結プレートの貫通孔内に挿通して抜け止め部を段差空部内に収納し、挿通部の先端を壁面の背後に突出させた状態で連結プレートを隣り合うコンクリートパネルの境界に止着し、連結プレートから突出した挿通部にサポート筋の端部を溶接固定する。【選択図】図８
2006063674.tif 000002
【特許請求の範囲】
【請求項１】
コンクリートパネルを上下左右に並べて積み上げ、上下に隣り合うコンクリートパネルの間にインサートピンを挿入して連結しながら壁面を構築する際に、隣り合うコンクリートパネル同士を連結すると共に、壁面の背後に配するサポート筋とコンクリートパネルとを連結する連結金具であって、
該連結金具は、金属板製の連結プレートと、該連結プレートに開設した貫通孔内に貫通される金属板製の挿通片とからなり、
前記連結プレートは、矩形の金属板の上辺部分と下辺部分をそれぞれ折り返して同一面に補強部を形成すると共に、両補強部の間に段差空部を形成し、中央部にはスリット状の貫通孔を放射状に開設し、該貫通孔の外側に止着孔を開設してなり、
前記挿通片は、前記連結プレートの貫通孔内に挿通する挿通部と、該挿通部の一端に形成されて前記貫通孔の開口周辺に係止する抜け止め部とを有し、
前記挿通片の挿通部を連結プレートの貫通孔内に挿通して前記抜け止め部を前記段差空部内に収納し、挿通部の先端を壁面の背後に突出させた状態で連結プレートを隣り合うコンクリートパネルの境界に止着し、連結プレートから突出した前記挿通部にサポート筋の端部を溶接固定し、左右に隣り合うコンクリートパネルの境界を前記補強部により補強するようにしたことを特徴とするコンクリートパネル用連結金具。
【請求項２】
前記貫通孔が、水平方向のスリットと垂直方向のスリットを交差させた十文字形に開設されていることを特徴とする請求項１に記載のコンクリートパネル用連結金具。
【請求項３】
前記挿通片の抜け止め部と前記連結プレートの補強部との厚さを揃えたことを特徴とする請求項１又は請求項２に記載のコンクリートパネル用連結金具。
【発明の詳細な説明】
【技術分野】
【０００１】
本発明は、コンクリートパネルを上下左右に並べて壁面を構築する際に隣り合うコンクリートパネル同士を連結する連結金具に関するものである。
【背景技術】
【０００２】
山間地における砂防ダム等における擁壁を構築する場合、例えば、長方形板状のコンクリートパネルが用いられることがある。このコンクリートパネルとしては、表面に天然の溶岩を配したもの等、様々な意匠が施されたものが提案されており、設置環境に応じたコンクリートパネルを選択して擁壁を構築することで、より自然な景観を確保することが可能である。
【０００３】
このようなコンクリートパネルによる擁壁を立設する工法としては、例えば、鉄筋を保持可能な固定金具を背面に設けたコンクリートパネルを上下左右に積み上げると共に、積み上げたコンクリートパネルの背面側に鉄筋を格子状に配置した状態でこの鉄筋を各コンクリートパネルの固定金具に取り付けて固定することで各コンクリートパネル同士を連結するものが提案されている（例えば、特許文献１参照）。
【０００４】
【特許文献１】特開平９−３２０１４号公報（第１図〜第４図）
【発明の開示】
【発明が解決しようとする課題】
【０００５】
しかしながら、特許文献１に開示のものは、各コンクリートパネルを連結している鉄筋が撓み易いため、十分な連結強度が得られないという問題があった。特に、上流側擁壁と下流側擁壁との間に生コンクリートや土砂等を流し込んだときの圧力を鉄筋が十分に受け止めることができず、擁壁全体が外側に膨らんでしまったり、隣り合うコンクリートパネルの境界部分から生コンクリート等が漏出する虞がある。
【０００６】
本発明は上記の事情に鑑み提案されたものであり、その目的は、隣り合うコンクリートパネルをより強固に連結することができ、上下左右のコンクリートパネルが強固に一体となった壁面を容易に構築可能なコンクリートパネルの連結金具を提供しようとするものである。
【課題を解決するための手段】
【０００７】
本発明は、上記目的を達成するために提案されたものであり、請求項１に記載のものは、コンクリートパネルを上下左右に並べて積み上げ、上下に隣り合うコンクリートパネルの間にインサートピンを挿入して連結しながら壁面を構築する際に、隣り合うコンクリートパネル同士を連結すると共に、壁面の背後に配するサポート筋とコンクリートパネルとを連結する連結金具であって、
該連結金具は、金属板製の連結プレートと、該連結プレートに開設した貫通孔内に貫通される金属板製の挿通片とからなり、
前記連結プレートは、矩形の金属板の上辺部分と下辺部分をそれぞれ折り返して同一面に補強部を形成すると共に、両補強部の間に段差空部を形成し、中央部にはスリット状の貫通孔を放射状に開設し、該貫通孔の外側に止着孔を開設してなり、
前記挿通片は、前記連結プレートの貫通孔内に挿通する挿通部と、該挿通部の一端に形成されて前記貫通孔の開口周辺に係止する抜け止め部とを有し、
前記挿通片の挿通部を連結プレートの貫通孔内に挿通して前記抜け止め部を前記段差空部内に収納し、挿通部の先端を壁面の背後に突出させた状態で連結プレートを隣り合うコンクリートパネルの境界に止着し、連結プレートから突出した前記挿通部にサポート筋の端部を溶接固定し、左右に隣り合うコンクリートパネルの境界を前記補強部により補強するようにしたことを特徴とするコンクリートパネル用連結金具である。
【０００８】
請求項２に記載のものは、前記貫通孔が、水平方向のスリットと垂直方向のスリットを交差させた十文字形に開設されていることを特徴とする請求項１に記載のコンクリートパネル用連結金具である。
【０００９】
請求項３に記載のものは、前記挿通片の抜け止め部と前記連結プレートの補強部との厚さを揃えたことを特徴とする請求項１又は請求項２に記載のコンクリートパネル用連結金具である。
【発明の効果】
【００１０】
本発明のコンクリートパネルの連結金具によれば、次のような優れた効果を奏する。
すなわち、請求項１に記載の発明によれば、挿通片の挿通部を連結プレートの貫通孔内に挿通して抜け止め部を段差空部内に収納し、挿通部の先端を壁面の背後に突出させた状態で連結プレートを隣り合うコンクリートパネルの境界に止着し、連結プレートから突出した挿通部にサポート筋の端部を溶接固定し、左右に隣り合うコンクリートパネルの境界を補強部により補強するようにしたので、これらのコンクリートパネル同士をより強固に連結することができる。そのため、例えば、壁面の裏側に生コンクリートや土砂等を充填したときの圧力を、隣り合うコンクリートパネル同士が一体となって十分に受け止めることができ、境界部分からの生コンクリート等の漏出や、左右に並べたコンクリートパネルの外側への膨らみを防止することができる。
【００１１】
また、両補強部の間に段差空部を有することで連結プレートがその弾性により撓むことができるので、必要な強度を確保しつつも連結プレートに免震機能を付与できる。したがって、地震等の振動を吸収することができる。
さらに、連結金具は、先端が壁面の背後に突出した挿通片を有するので、基礎コンクリート等の設置対象物に固定するためのサポート筋との接合が容易であり、より効率良く壁面を構築することができる。
そして、連結プレートの貫通孔を放射状に開設したので、必要に応じて挿通片の姿勢を変えることができる。これにより、コンクリートパネルの設置対象物の形状や位置に拘らずコンクリートパネルの壁面を容易に立設することができる。
【００１２】
請求項３に記載の発明によれば、挿通片の抜け止め部と連結プレートの補強部との厚さを揃えたので、連結プレートをコンクリートパネルに止着した際に、段差空部内に収納された抜け止め部を連結プレート及びコンクリートパネルに密着させることができ、挿通片をがたつき無く装着させることができる。
【発明を実施するための最良の形態】
【００１３】
以下、本発明の最良の形態を図面に基づき説明する。
図１は、本発明を適用して構築されたコンクリート擁壁（本発明における壁面の一種に相当：以下、単に擁壁という）１の外観を示す正面図であり、図２は、図１の擁壁１を側方から見た図である。なお、以下、擁壁１の設置面（基礎コンクリート２）側を上下方向の下として説明する。また、上流側擁壁と下流側擁壁とは同様の構造及び工程で構築されるため、以下においては一方（下流側擁壁）のみについて説明し、他方については適宜省略する。
このコンクリート擁壁１は、基礎コンクリート２の上に、複数のコンクリートパネル３を上下左右に並べて順次積み上げて立設すると共に、隣り合うコンクリートパネル３同士をインサートピン４や連結金具５を用いて連結することで構築されている。
【００１４】
本実施形態のコンクリートパネル３は、図３に示すように、横幅約１０００ｍｍ、高さ約４００ｍｍ、厚さ約６０ｍｍに設定されたコンクリート製の板材である。このコンクリートパネル３の上端面と下端面にはインサートピンが挿入される嵌合孔６が２つずつ合計４箇所に開設されており、背面の周縁部には連結金具５を取り付けるための雌ネジ部７が、隅角部に４箇所、左右中央部に４箇所の合計８箇所に設けられている。
【００１５】
上記嵌合孔６に挿入されるインサートピン４は、図４（ａ），（ｂ）に示すように、ステンレス等の金属製の接合軸４ａと、この接合軸４ａの表面の一部を被覆する樹脂製の弾性部材４ｂとにより成り、これらを一体成型することで構成されている。弾性部材４ｂは、嵌合孔６の傾斜角に合わせて軸方向の中央から両端に向けて次第に細くなるテーパー形状に作製されている。そして、図４（ｃ）に示すように、上記インサートピン４を下段のコンクリートパネル３の上端面に開設された嵌合孔６に挿入して嵌合させると、インサートピン４の軸方向の略半分までが嵌合孔６内に収納され、残りの半分は露出した状態となる。この露出したインサートピン４を上段のコンクリートパネル３の下端面に開設されている嵌合孔６に嵌合させることで、上下に隣り合うコンクリートパネル３を位置決めした状態で連結することができる。
【００１６】
このインサートピン４は、上下のコンクリートパネル３の境界部分を補強するため、擁壁１の裏側に生コンクリートや土砂等を充填したときの圧力を、上下に隣り合うコンクリートパネル３同士が一体となってより強固に受け止めることができ、境界部分からの生コンクリート等の漏出や、上下に並べたコンクリートパネル３の外側への膨らみを防止することができる。
【００１７】
上記連結金具５は、金属板製の連結プレート（接続プレート）９と、この連結プレート９の中央部に開設した貫通孔に挿通される金属板製の溶接プレート１０（本発明における挿通片に相当）との組により構成され、本実施形態においては、擁壁１における連結箇所に応じて図５及び図６に示す２種類の連結プレート９が用いられる。図５に示すものは、上下左右に隣り合うコンクリートパネル同士の連結に使用される連結プレート９（以下、適宜、第１プレート９ａという）であり、擁壁１の最上縁部及び最下縁部以外での連結に用いられるものである。また、図６に示すものは、擁壁１の最上縁部又最下縁部において左右に隣り合うコンクリートパネル３同士を連結するための連結プレート９（以下、適宜、第２プレート９ｂという）である。なお、図５，６において、（ａ）は平面図、（ｂ）は（ａ）におけるＡ−Ａ線断面図、（ｃ）は（ａ）におけるＢ−Ｂ線断面図である。
また、図７は、溶接プレート１０を説明する図であり、（ａ）は平面図、（ｂ）は正面図、（ｃ）は左側面図である。
【００１８】
連結プレート９は、例えば、強い弾性を有する鉄板やステンレス鋼等の矩形の金属製の板材により作製されており、上辺部分と下辺部分をそれぞれ折り返して二重にすることで同一面（裏面）に左右方向に長尺な補強部１２が形成されている。この補強部１２は、スペーサとしても機能し、コンクリートパネル３同士を連結する際に補強部１２をコンクリートパネル３に当接させることで、両補強部１２，１２の間に段差空部１３が形成されるようになっている（図８参照）。また、この連結プレート９の中央部には、溶接プレート１０が挿通されるスリット状の貫通孔１４が放射状、本実施形態においては縦方向スリット１４ｖと横方向スリット１４ｈとにより十文字状に開設されると共に、この貫通孔１４の外側における補強部１２を避けた位置に止着孔１５が開設されている。この止着孔１５は、第１プレート９ａの隅角部に４箇所開設されており、第２プレート９ｂの左右両側に２箇所開設されている。
【００１９】
上記溶接プレート１０は、連結プレート９の貫通孔１４内に挿通される舌片状の挿通部１０ａと、この挿通部１０ａの一端側を略直角に折り曲げることで形成され貫通孔１４の開口周辺に係止可能な抜け止め部１０ｂとを有する断面Ｌ字状の金属製の板材である。この溶接プレート１０と上記連結プレート９とは同じ厚さに設定されており、挿通部１０ａを貫通孔１４に通して抜け止め部１０ｂを貫通孔１４の周辺部に係止させて段差空部１３内に収納すると、抜け止め部１０ｂは、補強部１２とほぼ同一面に揃うようになっている。なお、この溶接プレート１０の挿通部１０ａは、貫通孔１４の縦方向スリット１４ｖ及び横方向スリット１４ｈの何れにも通すことができるようになっており、必要に応じて姿勢を縦又は横にすることができる。
【００２０】
図８は、上記のように構成された連結金具５を用いて隣り合うコンクリートパネル３同士を連結した状態を説明する図であり、（ａ）は側方から見た図、（ｂ）は上方から見た図である。同図に示すように、連結金具５をコンクリートパネル３に取り付ける際には、まず、溶接プレート１０の挿通部１０ａを連結プレート９の貫通孔１４に裏側（段差空部１３側）から通して先端を連結プレート９の表側に突出させると共に、抜け止め部１０ｂを貫通孔１４の周辺部分に係止させる。この図の例では、挿通部１０ａを貫通孔１４の縦方向スリット１４ｖに通すことで、溶接プレート１０をコンクリートパネル３の設置面に対して立てた状態にしてある。
【００２１】
次に、補強部１２側をコンクリートパネル３側に向けると共に補強部１２が連結プレート９の上下に位置する姿勢で、隣り合うコンクリートパネル３同士の境界を跨いで連結金具５を配置する。そして、連結プレート９の止着孔１５とコンクリートパネル３の雌ネジ部７の位置を合わせ、ボルト１７を連結プレート９の表側からワッシャ（図示せず）を介在させた状態で止着孔１５に通し、雌ネジ部７に螺合させて締め付ける。これにより、抜け止め部１０ｂが段差空部１３内に収納されると共に挿通部１０ａの先端がコンクリートパネル３（擁壁１）の背後に突出した状態で、連結プレート９（連結金具５）が隣り合うコンクリートパネル３の境界に止着される。なお、上記第１プレート９ａを用いた場合には上下左右に隣り合うコンクリートパネル３同士を連結することができ、上記第２プレート９ｂを用いた場合には左右に隣り合うコンクリートパネル３同士を連結することができる。
【００２２】
この際、連結プレート９とコンクリートパネル３との間には段差空部１３が形成されているため、ボルト１７をより強く締め付けると、連結プレート９はその弾性によって段差空部１３側に撓むことが可能である。そのため、この連結プレート９の撓みによってボルト１７を比較的強めに締め付けても締め付け力を吸収することができる。これにより、コンクリートパネル３のひび割れや損壊を防止しつつも連結プレート９をより確実に止着することができ、その結果、コンクリートパネル３同士をより強固に連結することができる。例えば、左右に隣り合うコンクリートパネル３の厚さ等に多少の公差があった場合においても、連結プレート９の弾性による撓みによって問題なく連結することが可能である。
【００２３】
また、連結プレート９の補強部１２が、左右に隣り合うコンクリートパネル３の境界を跨いで配されるため、この境界部分を補強することができ、これらのコンクリートパネル同士をより強固に連結することができる。したがって、本発明の連結金具５を用いて擁壁１を構築した場合、擁壁１の裏側に生コンクリートや土砂等を充填した際の圧力を、左右に隣り合うコンクリートパネル３同士が一体となって十分に受け止めることができ、境界部分からの生コンクリート等の漏出や、左右に並べたコンクリートパネル３の外側への膨らみを防止することができる。
【００２４】
さらに、抜け止め部１０ｂと補強部１２の厚さが揃っているため、ボルト１７を締め付けることによって段差空部１３内に収納された抜け止め部１０ｂを連結プレート９及びコンクリートパネル３に密着させることができ、溶接プレート１０をがたつき無く装着することができる。
【００２５】
次に、上記連結金具５を用いて隣り合うコンクリートパネル３を連結しながらこれらを積み重ねて擁壁１を構築する手順について説明する。
【００２６】
まず、図２に示すように、擁壁１を立設する位置に予め基礎コンクリート２を打設する。なお、この基礎コンクリート２に替えて基礎ブロック等を布設しても良い。
基礎コンクリート２の上面には、擁壁１（コンクリートパネル３）の支持・固定に使用されるアンカー筋１９を、連結金具５の取付間隔に対応するスパンで複数埋め込んでおく。また、コンクリートパネル３を所定の勾配で設置面に対して傾斜させた状態で裏側から支持するための基礎アングル２０を配置する。この基礎アングル２０は、２枚の断面略Ｌ字状の金属製板材を所定角度を付けた状態で組み合わせて接合することで作製されており、ネジ固定式アンカー２１によって基礎コンクリート２上に仮留される。この基礎アングル２０のコンクリートパネル３を支持する面には、コンクリートパネル３の雌ネジ部７に対応させた取付孔が開設されており、コンクリートパネル３をボルトで取り付けることができるようになっている。
【００２７】
基礎コンクリート２にアンカー筋１９と基礎アングル２０を配置したならば、最下段（１段目）のコンクリートパネル３を基礎コンクリート２上に左右に並べて設置する。この際、背面（雌ネジ部７開設面）を基礎アングル２０に寄り掛らせた状態でこれらのコンクリートパネル３を基礎アングル２０に取り付けると共に、上記連結金具５を用いて左右に隣り合うコンクリートパネル３同士を連結する。なお、上述したように、コンクリートパネル３の下側（擁壁１の最下縁部）の連結には上記第２プレート９ｂを、上側の連結には上記第１プレート９ａを用い、それぞれ溶接プレート１０の先端をコンクリートパネル３の背後に突出させた状態でコンクリートパネル３同士の境界部分に止着する。本実施形態においては、溶接プレート１０の挿通部１０ａを、連結プレート９の縦方向スリット１４ｖに通すことで、接地面（基礎コンクリート２の上面）に対して姿勢が縦になるようにしている。
【００２８】
そして、コンクリートパネル３の勾配を微調整した上で、ネジ固定式アンカー２１を締め込み、また、基礎アングル２０にサポート筋２２の一端部を溶接すると共にこのサポート筋２２の他端部をアンカー筋１９に溶接して基礎アングル２０を基礎コンクリート２に固定する。また、図９に示すように、コンクリートパネル３に止着した上側の連結金具５の溶接プレート１０（挿通部１０ａ）にもサポート筋２２の一端部を溶接すると共に他端部をアンカー筋１９に溶接してコンクリートパネル３を基礎コンクリート２に固定する。
なお、設置した１段目のコンクリートパネル３の上端面に開設された嵌合孔６にインサートピン４を挿入してインサートピン４の上半部分を１段目のコンクリートパネル３の上端面から上方に突出させておく。
【００２９】
このようにして１段目のコンクリートパネル３の設置が完了したならば、１段目のコンクリートパネル３の上に２段目のコンクリートパネル３を積み上げる。本実施形態においては、図１に示すように、下段（上段）の左右隣り合うコンクリートパネル３の境界の上（下）に、上段（下段）のコンクリートパネル３の左右中央が位置するように互い違いに配置しながら積み上げていく。すなわち、コンクリートパネル３を千鳥状に配置しながら積み上げる。
【００３０】
上段のコンクリートパネル３を下段のコンクリートパネル３上に積み上げて連結するには、上段のコンクリートパネル３の下端面に開設された嵌合孔に、下段のコンクリートパネル３から上方に突出したインサートピン４の上半部分を嵌合させると共に、上下左右に隣り合うコンクリートパネル３の境界部分に連結金具５を止着することで連結する。
【００３１】
このような積み上げ作業を繰り返し、上流側と下流側で２段目のコンクリートパネル３の１段目のコンクリートパネル３上への設置が完了したならば、その間の空間に、図２に示すように、１段目のコンクリートパネル３の上端近傍、具体的には、１段目と２段目のコンクリートパネル３同士を連結している連結金具５が隠れる程度までコンクリート（生コンクリート）２４を充填し、その上面にアンカー筋１９を連結金具５の取付間隔に対応するスパンで複数埋め込んでおく。
【００３２】
コンクリート２４の充填とアンカー筋１９の埋め込みが終了したならば、１段目と同様に、２段目のコンクリートパネル３に止着した上側の連結金具５の溶接プレート１０にサポート筋２２の一端部を溶接すると共に他端部をアンカー筋１９に溶接して２段目のコンクリートパネル３をコンクリート２４に連結固定する。
【００３３】
２段目の作業が終了したならば、その上に３段目以降のコンクリートパネル３を、２段目の場合と同様にインサートピン４及び連結金具５により連結しながら積み上げ、連結金具５の溶接プレート１０とアンカー筋１９とをサポート筋２２によって連結し、各コンクリートパネル３を、コンクリート２４に固定していく。そして、５段目のコンクリートパネル３の積み上げ作業が終了したならば、上流側と下流側との間に２段目のコンクリート２４を充填する。６段目以降は３〜５段目と同様の作業を順次繰り返して行う。
【００３４】
なお、最上段のコンクリートパネル３を設置面に対して垂直になるように設置し、上流側と下流側の最上段のコンクリートパネル３同士を互いにサポート筋２２によって連結する態様を採る場合がある。この場合、最上段のコンクリートパネル３の上側の連結金具５に関し、溶接プレート１０の挿通部１０ａを連結プレート１０の横方向スリット１４ｈに通すことで溶接プレート１０の姿勢を横向きにし、この横向きにした溶接プレート１０の上面にサポート筋２２の端部を溶接する。これにより、溶接プレート１０にサポート筋２２を溶接固定する際に、サポート筋３０の水平方向の向きを適宜調整することができる。したがって、上流側の連結金具５と下流側の連結金具５とで左右方向の位置が多少ずれていたとしても、上流側と下流側のコンクリートパネル３同士をサポート筋２２によって問題なく連結することが可能となる。
【００３５】
このようにして、上下左右に隣接するコンクリートパネル３を連結金具５及びインサートピン４によって連結し尚且つ上段と下段のコンクリートパネル３の位置を互い違いにずらして積み上げているので上下左右のコンクリートパネル３が強固に一体となった擁壁１を容易に構築することができる。
【００３６】
また、コンクリートパネル３同士を連結している連結金具５は、補強部１２によって左右に隣り合うコンクリートパネル３同士の境界部分を補強すると共に、両補強部１２の間に段差空部１３を有することで連結プレート９が撓むことができるので、必要な強度を確保しつつも連結プレート９に柔軟性を持たせることができ、免震機能を付与できる。したがって、地震等の振動を吸収することができる。
さらに、連結金具５は、先端が擁壁１（コンクリートパネル３）の背後に突出した溶接プレート１０を有するので、基礎コンクリート２等の設置対象物に固定するためのサポート筋２２との接合が容易であり、より効率良く擁壁１を構築することができる。
【００３７】
次に、本発明の第２の実施形態として、既設の鋼矢板２７による擁壁２８の前面（表面）側にコンクリートパネル３による被覆壁２６として壁面を構築する例について図１０，１１を用いて説明する。なお、図１０は本実施形態における被覆壁２６及び擁壁２８を側方から見た図、図１１（ａ）は被覆壁２６及び擁壁２８を上方から見た図、図１１（ｂ）は図１１（ａ）における領域Ａの拡大図である。
【００３８】
上記鋼矢板２７は、図１１（ａ）に示すように、左右側縁部分を一方の面側に屈曲成形して断面を略コ字状とした鋼製長尺板材であり、外側に少し開いた両側縁に接合部２９が形成されている。この接合部２９は、鋼矢板２７の側縁部分を外側に屈曲してさらに鈎形に屈曲成形したもので、この鈎形部分の空間内に隣の鋼矢板２７に形成された接合部２９の鈎形部分が丁度嵌合するように各部の寸法を設定して構成されている。
そして、擁壁２８は、鋼矢板２７の開放側の向きを交互に変えながら隣り合う鋼矢板２７同士を接合部２９で接合して構築されているため、凹凸を有する形状となっている。
【００３９】
このような凹凸のある擁壁２８の前面にコンクリートパネル３による被覆壁２６を構築する場合、複数のコンクリートパネル３を上下左右に並べて順次積み上げて立設すると共に、隣り合うコンクリートパネル３同士をインサートピン４や連結金具５を用いて連結することで構築する点は上記第１の実施形態と共通しているが、立設したコンクリートパネル３をサポート筋３０によって鋼矢板２７に接合して固定する点で異なっている。このサポート筋３０としては、被覆壁２６と擁壁２８との距離に応じて、即ち、擁壁２８の凹凸に応じて長尺なもの（サポート筋３０ａ）と短尺なもの（サポート筋３０ｂ）の２種類を用いる。
【００４０】
また、コンクリートパネル３に止着する連結金具５に関し、溶接プレート１０の挿通部１０ａを連結プレート１０の横方向スリット１４ｈに通すことで溶接プレート１０の姿勢を横向きにし、横向きにした溶接プレート１０の上面にサポート筋３０の端部を溶接する。このようにすると、図１１（ｂ）に示すように、接合位置や水平方向の向きを任意に調整した上でサポート筋３０を溶接プレート１０に接合することができる。したがって、コンクリートパネル３（被覆壁２６）から鋼矢板２７（擁壁２８）までの距離が一定でなくても、これらを問題なく連結固定することが可能となる。この際、コンクリートパネル３の傾斜勾配についても、連結プレート１０上におけるサポート筋３０の接合位置を変えることで適宜調整することができる。
【００４１】
このように、本発明の連結金具５は、貫通孔１４をスリット１４ｖと横方向スリット１４ｈとにより十文字状に開設したので、コンクリートパネル３の立設環境に応じて溶接プレート１０の姿勢を変えることができる。これにより、コンクリートパネル３の接合対象の形状や方向等に柔軟に対応することができる。
【００４２】
なお、上記した各実施形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
例えば、本発明の壁面は、上記各実施形態で例示した擁壁１や被覆壁２６に限定されず、土手などの堤や貯水ダムの壁面等も含む概念である。
【図面の簡単な説明】
【００４３】
【図１】本発明の接合金具を用いて構築された擁壁の構成を説明する正面図である。
【図２】図１の擁壁を側方から見た図である。
【図３】（ａ）はコンクリートパネルの平面図、（ｂ）はコンクリートパネルの平面図、（ｃ）はコンクリートパネルの左側面図である。
【図４】（ａ）はインサートピンの正面図、（ｂ）はインサートピンの平面図、（ｃ）はインサートピンによって上下のコンクリートパネルを連結した状態を説明する図である。
【図５】（ａ）は連結プレート（第１プレート）の正面図、（ｂ）は（ａ）におけるＡ−Ａ線断面図、（ｃ）は（ａ）におけるＢ−Ｂ線断面図である。
【図６】（ａ）は連結プレート（第２プレート）の正面図、（ｂ）は（ａ）におけるＡ−Ａ線断面図、（ｃ）は（ａ）におけるＢ−Ｂ線断面図である。
【図７】（ａ）は溶接プレートの平面図、（ｂ）は溶接プレートの正面図、（ｃ）は溶接プレートの左側面図である。
【図８】連結金具を用いて隣り合うコンクリートパネル同士を連結した状態を説明する図であり、（ａ）は側方から見た図、（ｂ）は上方から見た図である。
【図９】連結金具の溶接プレートにサポート筋を接合した状態を説明する図である。
【図１０】本発明の第２の実施形態における被覆壁及び擁壁を側方から見た図である。
【図１１】（ａ）は被覆壁及び擁壁を上方から見た図、（ｂ）は（ａ）における領域Ａの拡大図である。
【符号の説明】
【００４４】
１  コンクリート擁壁
２  基礎コンクリート
３  コンクリートパネル
４  インサートピン
５  連結金具
９  連結プレート
１０  溶接プレート
１２  補強部
１３  段差空部
１４  貫通孔
１５  止着孔
１９  アンカー筋
２２  サポート筋
２６  被覆壁
２７  鋼矢板
３０  サポート筋
【図１】
2006063674.tif 000003
【図２】
2006063674.tif 000004
【図３】
2006063674.tif 000005
【図４】
2006063674.tif 000006
【図５】
2006063674.tif 000007
【図６】
2006063674.tif 000008
【図７】
2006063674.tif 000009
【図８】
2006063674.tif 000010
【図９】
2006063674.tif 000011
【図１０】
2006063674.tif 000012
【図１１】
2006063674.tif 000013